(57)【要約】本発明は対象物を格納するデバイスに関し、該デバイスは少なくとも１つの第１の引出しガイド(６)を介して閉位置と最大の開位置の間を移動可能に取り付けられ、該引出しガイドは静止ガイドレール(９)と該静止ガイドレール(９)に対して移動可能なスライドレール(７)を備えた第１の引出し要素(２)と、少なくとも１つの第２の引出しガイド(１６)を介して閉位置と最大の開位置の間を移動可能に取り付けられ、該第２の引出しガイドは静止ガイドレール(１７)と該静止ガイドレール(１７)に対して移動可能なスライドレール(７)を備えた第２の引出し要素(４)を備え、第１の引出し要素(２)は第１の引出しガイド(６)上に支持され、第２の引出し要素(４)は第２の引出しガイド(１６)上に支持され、第１の引出しガイド(６)のスライドレール(７)は、第２の引出しガイド(１６)のスライドレール(１９)とは独立して移動可能である。【選択図】図６
2020537562.tif 000002
【特許請求の範囲】
【請求項１】
対象物を格納するデバイスであって、
少なくとも１つの第１の引出しガイド(６)を介して閉位置と最大の開位置の間を移動可能に取り付けられ、該第１の引出しガイドは静止ガイドレール(９)と該静止ガイドレール(９)に対して移動可能なスライドレール(７)を備えた第１の引出し要素(２)と、
少なくとも１つの第２の引出しガイド(１６)を介して閉位置と最大の開位置の間を移動可能に取り付けられ、該第２の引出しガイドは静止ガイドレール(１７)と該静止ガイドレール(１７)に対して移動可能なスライドレール(１９)を備えた第２の引出し要素(４)を備え、
第１の引出し要素(２)は第１の引出しガイド(６)上に支持され、第２の引出し要素(４)は第２の引出しガイド(１６)上に支持され、
第１の引出しガイド(６)のスライドレール(７)は、第２の引出しガイド(１６)のスライドレール(１９)とは独立して移動可能であるデバイスにおいて、
連結機構(２０)を備え、該連結機構(２０)によって、第２の引出し要素(４)は、第１の引出し要素(２)が閉位置から最大の開位置に移動した場合に、閉位置と最大の開位置との間の中程度の開位置に移動可能であり、
連結機構(２０)は、第２の引出し要素(４)を第１の引出し要素(２)とは独立して最大の開位置又は閉位置に動かすことができるように分離可能である、デバイス。
【請求項２】
前記連結機構(２０)は、連結機構(２０)を分離するように係合を外すことが可能であるキャッチ受け部(３１)及びキャッチ受け部(３１)に係合するキャッチ要素(２９)を有するキャッチユニットを備える、請求項１に記載のデバイス。
【請求項３】
第１の引出しガイド(６)は、スライドレール(７)と静止ガイドレール(９)の間に配置された中間レール(８)を含み、第２の引出し要素(４)は、連結機構(２０)を介して中間レール(８)と同じ速度で移動可能である、請求項１又は２に記載のデバイス。
【請求項４】
連結要素又はキャッチ要素(２９)と分離可能に係合することができるドライバ(３０)が、第２の引出し要素(４)上に配備される、請求項１乃至３の何れかに記載のデバイス。
【請求項５】
ドライバ(３０)はキャッチ受け部(３１)を含み、連結要素又はキャッチ要素(２９)に連結するための開始斜面(３２)がキャッチ受け部(３１)の両側に設けられる、請求項４に記載のデバイス。
【請求項６】
連結機構(２０)は、引きケーブル(２４)を介して第１の引出しガイド(６)のスライドレール(７)上の保持部(２１)に接続される可動レール(２２)を備える、請求項１乃至５の何れかに記載のデバイス。
【請求項７】
連結機構(２０)は、引きケーブル(２４)用の少なくとも１つの偏向ローラ(２５)を含む、請求項１乃至６の何れかに記載のデバイス。
【請求項８】
偏向ローラ(２５)を越えて延在し、第２の引出し要素(４)上のドライバ(３０)のキャッチ受け部(３１)に挿入可能である軸(２９)が設けられる、請求項７に記載のデバイス。
【請求項９】
第２の引出し要素(４)は、第２の引出しガイド(１６)に対して持ち上げることができる、請求項１乃至８の何れかに記載のデバイス。
【請求項１０】
第２の引出し要素(４)の上方への動きを画定するストッパ(４３)が設けられている、請求項９に記載のデバイス。
【請求項１１】
第２の引出し要素(４)は、第１の引出し要素(２)のフロントパネル(３)の後側に配置される内部引き出しとして形成される、請求項１乃至１０の何れかに記載のデバイス。
【請求項１２】
対象物を格納するための請求項１乃至１１の何れかに記載のデバイスを有する家庭用器具、特に冷蔵庫。
【請求項１３】
対象物を格納するための請求項１乃至１１の何れかに記載のデバイスを有する家具。
【請求項１４】
対象物を格納するためのデバイスを開閉する方法であって、
少なくとも１つの第１の引出しガイド(６)に移動可能に取り付けられた第１の引出し要素(２)を、閉位置から最大の開位置に移動させるステップと、
第１の引出し要素(２)と第２の引出し要素(４)の間の連結機構(２０)を介して、少なくとも１つの、第２の引出しガイド(１６)に移動可能に取り付けられた第２の引出し要素(４)を中程度の開位置に移動させるステップと、
連結機構(２０)を分離し、第２の引出し要素(４)を第１の引出し要素(２)とは独立して開閉方向に動かすステップと、
第２の引出し要素(４)がすでに閉位置にあるときに、第１の引出し要素(２)を閉位置に移動させることにより、連結機構(２０)内で両引出し要素を結合させ、又は
第１の引出し要素(２)がすでに閉位置にあるときに、第２の引出し要素(４)を閉位置に移動させることにより、連結機構(２０)内で両引出し要素を結合させるステップを備える、方法。
【請求項１５】
第１の引出し要素(２)の移動時に、第２の引出し要素(４)は連結機構(２０)によって第１の引出し要素(２)の半分の速度で動かされる、請求項１２に記載の方法。
【発明の詳細な説明】
【技術分野】
【０００１】
本発明は、対象物を格納するデバイスであって、少なくとも１つの第１の引出しガイドを介して閉位置と最大の開位置の間を移動可能に取り付けられ、該引出しガイドは静止ガイドレールと該静止ガイドレールに対して移動可能なスライドレールを備えた第１の引出し要素と、少なくとも１つの第２の引出しガイドを介して閉位置と最大の開位置の間を移動可能に取り付けられ、該第２の引出しガイドは静止ガイドレールと該静止ガイドレールに対して移動可能なスライドレールを備えた第２の引出し要素を備え、第１の引出し要素は第１の引出しガイド上に支持され、第２の引出し要素は第２の引出しガイド上に支持されたデバイス、及び対象物を格納するデバイスを開閉する方法に関する。
【背景技術】
【０００２】
ドイツ公開公報102014104919号は、夫々が引出し要素を移動可能に保持する第１及び第２の引出しガイドが２つの側壁を有する本体に配備された家具又は家庭用器具を開示している。２つの引出しガイドは、移動方向に対して角度を成して位置合わせされ、互いに確実に結合されるので、第１の引出し要素が移動した場合、第２の引出し要素は少なくとも領域内で移動可能である。互いに対して引出しガイドの角度を成した位置合わせにより、引出し要素の高さのずれを補正することができるが、引出し要素の１つを持ち上げるときの操作力が高く、更にこの構成は、引出し方向の前面の引出し要素が本体から比較的遠くに引っ張られた場合にのみ妥当である。複数の引出しガイドを直列に接続すると、この場合、公差により、横方向の動きが増加する可能性もある。
【０００３】
ドイツ公開公報102011050523号は、歯車装置を介して互いに連結された２つの引出し要素が配備された家具又は家庭用器具用の引出しシステムを開示し、第１の引出し要素の移動時に第２の引出し要素を移動させる。この場合、引出し要素は異なる速度で移動する。この解決策では、上部引出し要素が比較的長い距離にわたって本体から出された場合にのみ、下部引出し要素へのアクセスが可能になるとの点で不利である。従って、引出しガイドの複数のレールを連続して取り付けることに起因する許容誤差が増大する。このような大きな引き出し距離を実現するには、全てのキッチン又はリビングルームには十分なスペースがない。上部の引出し要素が本体から短い距離だけ移動する場合、下部の引出し要素へのアクセスは部分的に隠される。
【０００４】
更に、第１の引出し要素が２つの引出しガイドの２つのスライドレール上に保持され、第２の引出し要素が２つの引出しガイドの２つの中間レール上に保持された引出し構成は、ドイツ公開公報102014107692号から公知である。従って、おそらく、第１の引出し要素の移動を介して、第１の引出し要素の上に配置される第２の引出し要素も移動する結果となり、引出し要素へのアクセスは部分的に覆われる。
【発明の概要】
【発明が解決しようとする課題】
【０００５】
従って、本発明の目的は、取り扱いと２つの引出し要素へのアクセスを改善することができる対象物を格納するためのデバイスを提供することである。更に、そのようなデバイスの開閉方法において、ユーザにとって取り扱いが改善される。
この目的は、請求項１の特徴を有するデバイス及び請求項１４の特徴を有する方法によって達成される。
【課題を解決するための手段】
【０００６】
本発明によるデバイスは、２つの引出し要素を備え、該引出し要素は対象物を格納するために使用され、夫々少なくとも１つの第１の引出しガイド又は少なくとも１つの第２の引出しガイドを介して移動可能である。この場合、連結機構が配備され、該連結機構によって、第１の引出し要素が閉位置から最大の開位置に移動した場合に、第２の引出し要素は、閉位置と最大の開位置との間の中程度の開位置に移動可能であり、例えば中程度の開位置は閉位置から最大の開位置までの距離の３０％から７０％の距離である。
この場合、連結機構は分離可能であり、必要に応じて、第１の引出し要素とは独立して第２の引出し要素を最大の開位置又は閉位置に移動させることができる。連結機構の「分離可能性」は、この場合、取付け作業なしで実行されるが、むしろ、引出し要素の更なる上昇によって補助されて、第２の引出し要素を開閉方向に移動することによってのみ生成されるのが好ましい。そのような連結機構の分離の後、第２の引出し要素は、第１の引出し要素とは独立して移動することができる。第２の引出し要素は、第１の引出し要素の上に配置されるのが好ましく、第２の引出し要素を開位置から閉位置に移動することによって、下に位置する第１の引出し要素へのより良いアクセスが提供される。連結機構によって生成される開位置にて、第１の引出し要素と第２の引出し要素の両方が、上から部分的にアクセス可能な位置に配置されている。
【０００７】
連結機構は、キャッチ受け部と、キャッチ受け部に係合するキャッチ要素とを有するキャッチユニットを備えるのが好ましい。このキャッチユニットは第１の引出し要素を引っ張ることにより、第２の引出し要素も動かすのに十分な力を伝達することができる。特定の力を超えた場合、及び/又は第２の引出し要素を上げることにより、キャッチユニットを切り離すことができ、次に、第１の引出し要素と第２の引出し要素の間の連結機構も切り離される。
【０００８】
更なる構成において、第1の引出しガイドは、スライドレールとガイドレールの間に配置された中間レールを含み、第２の引出し要素は、連結機構を介して中間レールと同じ速度で移動可能である。この場合、第２の引出し要素は付随的に、連結機構を介して中間レール又はスライドレールに直接接続され、連結機構が減速のためのユニットを含む場合、第２の引出し要素は、第１の引出しガイドのスライドレールよりも遅く移動する。
【０００９】
連結要素と分離可能に係合するドライバが、第２の引出し要素上に設けられるのが好ましい。ドライバは、例えば、両側のドライバに結合するための開始斜面を備えるキャッチ受け部を有する。従って、例えば、第１の引出し要素が閉位置に移動されることにより、連結機構を自動的に連結イン位置にすることができる。連結要素又はキャッチ要素は、開始斜面に沿って移動し、キャッチ受け部に到達する。更に、取付け位置で開口したキャッチ受け部により、キャッチユニットのロック力と保持力が第２の引出し要素の重量負荷に依存するという利点があり、第２の引出し要素の装填時に、空の第２の引出し要素の場合よりも高い保持力およびロック力がキャッチユニットによって伝達される。
【００１０】
更なる構成において、連結機構は、引きケーブルを介して保持部及び第１の引出しガイドのスライドレールに接続される可動レールを備える。従って、レールは静止した保持部及び第１の引出しガイドのスライドレール上の固定を介して、第１の引出しガイドのスライドレールの半分の速度で移動し、従って、必要な距離に亘って所望の速度で第２の引出し要素を移動させることができる。連結機構にレールを使用することには、レールを本体内に配置でき、最大に開いた位置でレールは本体から少しだけ移動できるという利点がある。この場合、連結機構は、引きケーブル用の少なくとも１つの偏向ローラを備え、偏向ローラは、偏向ローラを超えて突出する軸を有し、軸はキャッチ要素として使用可能であり、第２の引出し要素のドライバのキャッチ受け部に挿入可能である。
【００１１】
取り扱いを簡単にすべく、連結機構を分離する(切り離す)ために、第２の引出し要素は、第２の引出しガイドに対して持ち上げることができる。少なくとも１つの第２の引出しガイドのスライドレールから、引出し要素が完全に取り外されることを回避するために、第２の引出し要素の上方への動きを画定するストッパが設けられることが好ましい。
【００１２】
１つの好ましい構成において、第２の引出し要素は、第１の引出し要素のフロントパネルの背後に配置される内部引き出しとして構成されている。この場合、第１の引出し要素は、両側に配置された２つの引出しガイド上で移動可能であり、第２の引出し要素は、２つの第２の引出しガイドに移動可能に取り付けられ、該引出しガイドは、対向する側壁又は共通の保持部に固定することもできる。
【００１３】
本発明に従ったデバイスを開閉する方法において、最初に少なくとも１つの第１の引出しガイドに移動可能に取り付けられた第１の引出し要素を、閉位置から最大の開位置に移動させる。第１の引出し要素と第２の引出し要素の間の連結機構によって、少なくとも１つの第２の引出しガイドに移動可能に取り付けられた第２の引出し要素を、第１の引出し要素を移動させることによって、中程度の開位置に移動させ、連結機構は分離されて、付随的に第２の引出し要素を第１の引出し要素とは独立して開閉方向に動かす。第１の引出し要素を閉位置に移動させることにより、連結機構は再び連結する。第２の引出し要素は、第１の引出し要素の移動中に第１の引出し要素の半分の速度で移動されるのが好ましい。従って、ユーザは付随的に、第２の引出し要素を最大の開位置に移動させて、第２の引出し要素への最適なアクセスができ、又は第２の引出し要素を閉位置に戻し移動させて、より低い第１の引出し要素への最適なアクセスができる。
【図面の簡単な説明】
【００１４】
本発明は、添付の図面を参照して例示的な実施形態に基づいて以下に詳細に説明される。
【図１】本発明に従ったデバイスを閉位置にて示す図である。
【図２】第１の引出し要素を有する図１のデバイスを最大の開位置で示す。
【図３】第１の引出し要素及び第２の引出し要素を有する図１のデバイスを最大の開位置で示す。
【図４】図１のデバイスを引出し要素無しで示す図である。
【図５】本体を有する図４に似た図である。
【図６】第１の引出しガイドを有する図４のデバイスを最大の開位置で示す。
【図７】図６のデバイスを示し、第２の引出しガイドも最大の開位置に動かされる。
【図８】連結機構のドライバの詳細図である。
【図９】非連結位置におけるドライバの詳細図である。
【図１０】連結位置におけるドライバの詳細図である。
【図１１】連結イン位置におけるドライバの詳細図である。
【図１２】下降位置における第２のドライバ要素の図である。
【図１３】第２のドライバ要素用の上昇制限ユニットの詳細図である。
【図１４】上昇位置における第２のドライバ要素の図である。
【図１５】停止位置における上昇制限ユニットの詳細図である。
【発明を実施するための形態】
【００１５】
対象物を格納するためのデバイス１は、閉位置で第２の引出し要素４の下に配置される第１の引出し要素２を備える。この場合、第２の引出し要素４は第１の引出し要素２のフロントパネル３の背後に配置される内部引き出しとして構成される。フロントパネル３上のハンドル要素を引くことにより、第１の引出し要素２及び第２の引出し要素４の両方は開方向に動かされる。デバイス１は、この場合、家庭用器具又は家具に任意に配置することができ、各引出し要素２および４は、両側に配置された２つの引出しガイドを介して移動可能に保持されるのが好ましい。
【００１６】
図２にて、第１の引出し要素２は最大の開位置に動かされる。第１の引出し要素２は少なくとも１つの引出しガイド６上に移動可能に保持されて、該引出しガイド６はホルダ５上に固定された静止ガイドレール９、中間レール８及びスライドレール７を備え、それらはローラ本体を介して互いに夫々移動可能に取り付けられる。スライドレール７は第１の引出し要素２を支持するのに用いられる。２つだけのレールを有する引出しガイド６又は３つ以上のレールを有する引出しガイド６を使用することも可能である。
【００１７】
図３に示すように、第２の引出し要素４は閉位置から最大の開位置に動かされ、第２の引出し要素４が少なくとも１つの、好ましくは２つの引出しガイド１６上に保持され、これらの引出しガイド１６の夫々は、静止ガイドレール１７、中間レール１８及び第２の引出し要素４を支持するスライドレール１９を備えている。
【００１８】
静止ガイドレール１７は、静止板状のホルダ５に固定されており、本体の側壁に固定することも、本体の側壁として形成することもできる。
図１乃至図３に示すように、引出し要素２、４及び引出しガイド６、１６のスライドレール７、１９は、互いに独立して移動可能である。
【００１９】
図４にて、図１乃至図３のデバイスは、引出し要素２、４無しで示されるが、本体５０の側壁に取付けブラケット１０を介して固定されている引出しガイド６、１６を見ている。
【００２０】
静止ガイドレール９上の第１のホルダ１２及びスライドレール７上の第２のホルダ１３に接続される引きケーブル１１は、第１の引出しガイド６上に設けられる。引きケーブル１１は、中間レール８に回転可能に取り付けられた偏向ローラ１４及び１５を介して循環するように保持される。これにより、スライドレール７が中間レール８の２倍の速度で移動することが確実になる。
【００２１】
第１の引出し要素２と第２の引出し要素４の間に、連結機構２０が配備され、該連結機構２０は第１の引出し要素２の移動中に第２の引出し要素４を動かすが、第１の引出し要素２より遅い速度であり、特に半分の速度である。連結機構２０は、第１の引出しガイド６のスライドレール７に固定される保持部２１を備える。保持部２１は、２つの偏向ローラ２５の間を循環するように張力がかけられている引きケーブル２４に固定されている。偏向ローラ２５は、この場合、静止レール２３に対して直線的に移動可能な可動レール２２上に回転可能に取り付けられている。引きケーブル２４は、ホルダ５又は側壁に直接又は間接的に接続され、固定的に配置された締結要素２６に固定されている。スライドレール７が開方向に移動する間、引きケーブル２４は締結要素２６によって保持され、保持部２１によって駆動されるので、可動レール２２はスライドレール７の速度の約半分の速度で移動する。
【００２２】
図５にて、デバイス１は引出しガイド６、１６を有して、閉位置にて示される。両方の引出しガイド６、１６と、取り付けられた状態でその上に支持される引出し要素２、４は、本体５０、例えば、冷蔵庫の断熱された中空室の内部に配置される。上側の第２の引出し要素４には、偏向ローラ２５から側方に突出する軸２９に結合可能なドライバ３０が設けられている。スライドレール７が図４及び図５に示す位置から、第１の引出し要素２を介して開方向に移動すると、可動レール２２は、引きケーブル２４を介して連結機構２０を介してスライドレール７の半分の速度で駆動され、それによって軸２９もまたドライバ３０を半分の速度で駆動する。従って、第２の引出し要素４は、第１の引出し要素２の半分の速度で開方向に移動し、従って、第１の引出し要素２の距離の半分を超えて移動する。
【００２３】
図６にて、第１の引出しガイド６のスライドレール７は最大の開位置に配置される。保持部２１は引きケーブル２４を駆動し、可動レール２２は、静止レール２３に対して、可動レール２２が本体５０から少しだけ突出する最終位置に移動されている。ドライバ３０は、連結イン位置に配置され、第２の引出しガイド１６、従って上側の第２の引出し要素４(ここでは図示せず)も、閉位置と最大の開位置の間のほぼ半開位置に配置される。
【００２４】
ここで、ユーザが上側の第２の引出し要素４へアクセスしたい場合、ユーザは連結機構２０を分離し、引出しガイド１６を介して第２の引出し要素４を開き方向に移動させることができる。次に、図３に示す位置に到達し、該位置にて第２の引出し要素４が、本体５０及びホルダ５の大凡前に配置される。次に、第１の引出し要素２は、第２の引出し要素４によって上側が覆われる。
【００２５】
反対に、ユーザが下側の第１の引出し要素２へのアクセスを改善したい場合、図２に示すように、連結機構２０を分離することができ、第２の引出し要素４を閉位置に移動して、上から第１の引出し要素２に完全にアクセスすることができる。
【００２６】
また、ユーザは、付随的に連結機構２０を係合させたままにすることができ、従って第１の引出し要素２を動かすことによって、第２の引出し要素４も同時に動かすことができる。
少なくとも１つの第１の引出しガイド６及び/又は少なくとも１つの第２の引出しガイド１６は、閉位置に到達する前にダンパを介して引出し要素２及び４を減速させ、次にそれらを閉位置に引き込む自己引込み器を備えることができる。
【００２７】
図７にて、連結機構２０は切り離され(分離され)、第２の引出しガイド１６は最大に引き出された位置に移動されている。引出し要素４に固定され又は一体的に形成されたドライバ３０は、偏向ローラ２５の軸２９から外れているので、両方の引出しガイド６、１６は、互いに独立して移動可能である。
【００２８】
ドライバ３０の詳細図は図８に示され、ドライバ３０は引出し要素４の側壁に取り付けられているが、別の位置に設けることもでき、又は引出し要素４と一体的に形成することもできる。ドライバ３０は、底部に向かって開いていて大凡半円形に形成されたキャッチ受け部３１を備え、開始斜面３２がキャッチ受け部３１の両側に設けられている。
【００２９】
図９にて、連結機構２０の受けユニットが示される。軸２９に回転可能に取り付けられた偏向ローラ２５が可動レール２２に位置し、軸２９は、偏向ローラ２５を越えて側方に突出し、キャッチ受け部３１と係合することができる。この場合、キャッチユニットを結合するために、軸２９を２つの開始斜面３２の一方に沿って移動させることができるので、軸２９がキャッチ受け部３１にロックされる前に、第２の引出し要素４が僅かに持ち上げられる。
【００３０】
図１０にて、ドライバ３０及び軸２９を有する偏向ローラ２５は、ロック位置で示されている。この位置にて、引出し要素２、４は異なる速度で一緒に動く。
図１１にて、ドライバ３０は、可動レール２２が最大に引き出された位置に示され、可動レール２２は、偏向ローラ２５の領域において本体５０からのみ突出する。この位置では、図１４に示すように、キャッチユニットを解除するために、第２の引出し要素４を僅かに上げることができる。付随的にキャッチユニットのロック解除は、第２の引出し要素４を引くか押すことによってのみ達成することもできる。
【００３１】
図１２及び図１３にて、第２の引出し要素４は、縁部４２がスライドレール１９上にある下降位置で示されている。プラグ４０がスライドレール１９の端部に挿入され、このプラグには、第２の引出し要素４の上昇運動を制限するための上昇制限ユニットが設けられる。上昇制限ユニットは、上向きに突出するウェブ４１を備え、その端部にフック４３が形成される。この場合、ウェブ４１は引出し要素４の縁部４２を取り囲んでいる。ウェブ４１及びフック４３を有する上昇制限ユニットは、図１３に詳細に示されている。
【００３２】
第２の引出し要素４が僅かに持ち上げられると、図１４及び図１５に示される位置に到達する。縁部４２は、フック４３が縁部４２及び引出し要素４のさらなる上昇を防止するまで、ウェブ４１に沿って上方に移動されている。この位置では、引出し要素４に接続されたドライバ３０もまた上昇しており、もはや軸２９と係合していない。従って、スライドレール１９は連結機構２０とは独立して移動することができる。
【００３３】
連結機構２０を再び係合すべく、図１、図４及び図５に示すように、第１の引出し要素２及び第２の引出し要素４は、閉位置に戻される。第１の引出し要素を第２の引出し要素４に対して移動することにより、軸２９は、開始斜面３２に到達し、閉位置に到達するとキャッチ受け部３１にロックされ、次に、第１の引出し要素２を再び開くと、連結機構２０が再び係合する。
【００３４】
示された例示的な実施形態において、連結機構２０は、第１の引出しガイド６のスライドレール７に接続されている。勿論、スライドレール７の半分の速度ですでに移動しているため、第１の引出しガイド６の中間レール８に直接連結機構を固定することも可能である。中間レール８に結合されたホルダは、ドライバ３０と直接係合することができる。しかし、追加の可動レール２２の使用は、特に、より高い高さを有する引出し要素２、４の場合に、安定性が強化されたとの利点を有する。
【００３５】
連結機構２０は、上側の引出し要素４の底部に向かって開口しているキャッチ受けを有するキャッチユニットを備え、上側の引出し要素は軸又はピンと係合する。勿論、連結機構２０に他のキャッチユニットを設けることも可能であり、これは、第１の引出し要素２と第２の引出し要素４との間の開閉方向における特定の力伝達を可能にし、作動力又は上限を超える力によってロック解除可能である。ばね式ドライバ３０を使用することも可能であり、該ばね式ドライバは上側の引出し要素４に開き又は閉じ方向に外力が加えられた場合に分離するために旋回又は直線的に移動し、それにより連結機構２０を分離し、続いて再び開始位置に戻す。
【００３６】
ロック解除のために、第２の引出し要素４は、図示の例示的な実施形態では僅かに持ち上げられる。勿論、また、キャッチユニットを切り離すことができる作動要素、例えばレバー又はボタンを設けることも可能である。
【符号の説明】
【００３７】
１    デバイス
２    引出し要素
３    フロントパネル
４    引出し要素
５    ホルダ
６    引出しガイド
７    スライドレール
８    中間レール
９    ガイドレール
１０  取付けブラケット
１１  引きケーブル
１２  ホルダ
１３  ホルダ
１４  偏向ローラ
１５  偏向ローラ
１６  引出しガイド
１７  ガイドレール
１８  中間レール
１９  スライドレール
２０  連結機構
２１  保持部
２２  レール
２３  レール
２４  引きケーブル
２５  偏向ローラ
２６  締結要素
２９  軸
３０  ドライバ
３１  キャッチ受け部
３２  開始斜面
４０  プラグ
４１  ウエブ
４２  縁部
４３  フック
５０  本体
【図１】
2020537562.tif 000003
【図２】
2020537562.tif 000004
【図３】
2020537562.tif 000005
【図４】
2020537562.tif 000006
【図５】
2020537562.tif 000007
【図６】
2020537562.tif 000008
【図７】
2020537562.tif 000009
【図８】
2020537562.tif 000010
【図９】
2020537562.tif 000011
【図１０】
2020537562.tif 000012
【図１１】
2020537562.tif 000013
【図１２】
2020537562.tif 000014
【図１３】
2020537562.tif 000015
【図１４】
2020537562.tif 000016
【図１５】
2020537562.tif 000017
【手続補正書】
【提出日】令和2年4月20日(2020.4.20)
【手続補正１】
【補正対象書類名】特許請求の範囲
【補正対象項目名】全文
【補正方法】変更
【補正の内容】
【特許請求の範囲】
【請求項１】
対象物を格納するデバイスであって、
少なくとも１つの第１の引出しガイド(６)を介して閉位置と最大の開位置の間を移動可能に取り付けられ、該第１の引出しガイドは静止ガイドレール(９)と該静止ガイドレール(９)に対して移動可能なスライドレール(７)を備えた第１の引出し要素(２)と、
少なくとも１つの第２の引出しガイド(１６)を介して閉位置と最大の開位置の間を移動可能に取り付けられ、該第２の引出しガイドは静止ガイドレール(１７)と該静止ガイドレール(１７)に対して移動可能なスライドレール(１９)を備えた第２の引出し要素(４)を備え、
第１の引出し要素(２)は第１の引出しガイド(６)上に支持され、第２の引出し要素(４)は第２の引出しガイド(１６)上に支持され、
第１の引出しガイド(６)のスライドレール(７)は、第２の引出しガイド(１６)のスライドレール(１９)とは独立して移動可能であるデバイスにおいて、
連結機構(２０)を備え、該連結機構(２０)によって、第２の引出し要素(４)は、第１の引出し要素(２)が閉位置から最大の開位置に移動した場合に、閉位置と最大の開位置との間の中程度の開位置に移動可能であり、
連結機構(２０)は、第２の引出し要素(４)を第１の引出し要素(２)とは独立して最大の開位置又は閉位置に動かすことができるように分離可能である、デバイス。
【請求項２】
前記連結機構(２０)は、連結機構(２０)を分離するように係合を外すことが可能であるキャッチ受け部(３１)及びキャッチ受け部(３１)に係合するキャッチ要素(２９)を有するキャッチユニットを備える、請求項１に記載のデバイス。
【請求項３】
第１の引出しガイド(６)は、スライドレール(７)と静止ガイドレール(９)の間に配置された中間レール(８)を含み、第２の引出し要素(４)は、連結機構(２０)を介して中間レール(８)と同じ速度で移動可能である、請求項１又は２に記載のデバイス。
【請求項４】
連結要素又はキャッチ要素(２９)と分離可能に係合することができるドライバ(３０)が、第２の引出し要素(４)上に配備される、請求項１乃至３の何れかに記載のデバイス。
【請求項５】
ドライバ(３０)はキャッチ受け部(３１)を含み、連結要素又はキャッチ要素(２９)に連結するための開始斜面(３２)がキャッチ受け部(３１)の両側に設けられる、請求項４に記載のデバイス。
【請求項６】
連結機構(２０)は、引きケーブル(２４)を介して第１の引出しガイド(６)のスライドレール(７)上の保持部(２１)に接続される可動レール(２２)を備える、請求項１乃至５の何れかに記載のデバイス。
【請求項７】
連結機構(２０)は、引きケーブル(２４)用の少なくとも１つの偏向ローラ(２５)を含む、請求項１乃至６の何れかに記載のデバイス。
【請求項８】
偏向ローラ(２５)を越えて延在し、第２の引出し要素(４)上のドライバ(３０)のキャッチ受け部(３１)に挿入可能である軸(２９)が設けられる、請求項７に記載のデバイス。
【請求項９】
第２の引出し要素(４)は、第２の引出しガイド(１６)に対して持ち上げることができる、請求項１乃至８の何れかに記載のデバイス。
【請求項１０】
第２の引出し要素(４)の上方への動きを画定するストッパ(４３)が設けられている、請求項９に記載のデバイス。
【請求項１１】
第２の引出し要素(４)は、第１の引出し要素(２)のフロントパネル(３)の後側に配置される内部引き出しとして形成される、請求項１乃至１０の何れかに記載のデバイス。
【請求項１２】
対象物を格納するための請求項１乃至１１の何れかに記載のデバイスを有する家庭用器具、特に冷蔵庫。
【請求項１３】
対象物を格納するための請求項１乃至１１の何れかに記載のデバイスを有する家具。
【請求項１４】
対象物を格納するためのデバイスを開閉する方法であって、
少なくとも１つの第１の引出しガイド(６)に移動可能に取り付けられた第１の引出し要素(２)を、閉位置から最大の開位置に移動させるステップと、
第１の引出し要素(２)と第２の引出し要素(４)の間の連結機構(２０)を介して、少なくとも１つの、第２の引出しガイド(１６)に移動可能に取り付けられた第２の引出し要素(４)を中程度の開位置に移動させるステップと、
連結機構(２０)を分離し、第２の引出し要素(４)を第１の引出し要素(２)とは独立して開閉方向に動かすステップと、
第２の引出し要素(４)がすでに閉位置にあるときに、第１の引出し要素(２)を閉位置に移動させることにより、連結機構(２０)内で両引出し要素を結合させ、又は
第１の引出し要素(２)がすでに閉位置にあるときに、第２の引出し要素(４)を閉位置に移動させることにより、連結機構(２０)内で両引出し要素を結合させるステップを備える、方法。
【請求項１５】
第１の引出し要素(２)の移動時に、第２の引出し要素(４)は連結機構(２０)によって第１の引出し要素(２)の半分の速度で動かされる、請求項１４に記載の方法。
【国際調査報告】
2020537562.tif 000018
2020537562.tif 000019
2020537562.tif 000020
2020537562.tif 000021